(57)【要約】【課題】バーコードに記録されるデータのデータ量を極力抑えつつ、印刷画像を、その少なくとも一部を置換した上で複写する。【解決手段】複写元の画像Ａ１は、印刷画像Ｃ１、第１バーコードＢ１、第２バーコードＢ２ａ〜Ｂ２ｄ、及び、言語名Ｌを有している。そして、いずれかの言語名Ｌを囲む書き込みＷをした画像Ａ１を複合機のスキャナに読み取らせると、第１バーコードＢ１に記録された印刷画像Ｃ１における置換領域Ｒｒ１、Ｒｒ２に配置された日本語のテキストＴ１及び日本語のテキスト部分を含むグラフＧ１が、書き込みＷにより囲まれた言語名Ｌに対応する第２バーコードＢ２ａに記録された、テキストＴ１を翻訳したテキストＴ２、及び、グラフＧ１のテキスト部分を翻訳したグラフＧ２に置換されるとともに、印刷画像Ｃ１の他の部分（複写領域Ｒｃ）はそのまま複写された画像Ａ２が印刷される。【選択図】図３
2011182102.tif 000002
【特許請求の範囲】
【請求項１】
印刷画像と、
前記印刷画像の少なくとも一部の領域であり、複写時に置換され得る置換領域の情報、及び、前記置換領域を置換する置換画像が記録されたバーコードとを記録媒体に印刷することを特徴とする印刷方法。
【請求項２】
前記印刷画像の一部のみが前記置換領域であって、
前記印刷画像の前記置換領域以外の領域は、複写時にそのまま複写される複写領域であることを特徴とする請求項１に記載の印刷方法。
【請求項３】
前記バーコードとして、
少なくとも前記置換領域の情報が記録された第１バーコードと、
少なくとも前記置換画像が記録された第２バーコードとを印刷することを特徴とする請求項１又は２に記載の印刷方法。
【請求項４】
前記第１バーコードを、前記記録媒体の特定の位置にのみ印刷することを特徴とする請求項３に記載の印刷方法。
【請求項５】
前記第１バーコードの近傍に、前記第１バーコードを識別するための識別用画像をさらに印刷することを特徴とする請求項３に記載の印刷方法。
【請求項６】
複数種類の置換画像が記録された複数の第２バーコードを印刷することを特徴とする請求項３〜５のいずれかに記載の印刷方法。
【請求項７】
前記複数の第２バーコードに記録された前記置換画像の内容を示す内容表示画像をさらに印刷することを特徴とする請求項６に記載の印刷方法。
【請求項８】
前記第１バーコードに、前記複数の第２バーコードに記録された前記置換画像の内容をを示すデータがさらに記録されていることを特徴とする請求項６に記載の印刷方法。
【請求項９】
前記第１バーコードに、前記複数の第２バーコードの位置がさらに記録されていることを特徴とする請求項６〜８のいずれかに記載の印刷方法。
【請求項１０】
前記印刷画像は、前記置換領域に、ある言語で記載された文字列を含んでおり、
前記置換画像が、前記置換領域の前記文字列が他の言語に翻訳された画像であることを特徴とする請求項１〜９のいずれかに記載の印刷方法。
【請求項１１】
請求項１〜１０のいずれかに記載の印刷方法によって印刷された前記印刷画像及び前記バーコードを読み取り、
読み取り結果を用いて、前記印刷画像を、前記置換領域を前記置換画像に置換した上で複写することを特徴とする複写方法。
【請求項１２】
請求項６〜９のいずれかに記載の印刷方法によって印刷された前記印刷画像、前記第１バーコード、及び、選択された前記置換画像に対応する前記第２バーコードを読み取り、
読み取り結果を用いて、前記印刷画像を、前記置換領域を選択された前記置換画像に置換した上で複写することを特徴とする請求項１１に記載の複写方法。
【請求項１３】
前記印刷画像とともに、前記バーコードも複写することを特徴とする請求項１１又は１２に記載の複写方法。
【請求項１４】
前記置換領域の大きさと、前記置換画像の画像の大きさとが違う場合に、前記バーコードを、記録されている前記置換領域の情報を置換後の情報に書き換えた上で複写することを特徴とする請求項１３に記載の複写方法。
【請求項１５】
前記印刷画像を拡大複写又は縮小複写する場合に、前記バーコードを、記録されている前記置換領域の情報を拡大又は縮小後の情報に書き換えた上で複写することを特徴とする請求項１３又は１４に記載の画像の複写方法。
【請求項１６】
記録媒体に印刷を行う印刷手段と、
前記記録媒体に印刷された画像を読み取る読取手段と、
前記印刷手段による印刷の制御を行う印刷制御手段と、
前記読取手段による画像の読取の制御を行う読取制御手段とを備え、
前記印刷制御手段は、前記印刷手段を制御して、
印刷画像と、
前記印刷画像の少なくとも一部の領域であり、複写時に置換され得る置換領域の情報、及び、前記置換領域を置換する置換画像が記録されたバーコードとを印刷させ、
前記読取制御手段は、前記読取手段を制御して、
前記印刷手段によって印刷された前記印刷画像及びバーコードを読み取らせ、
前記印刷制御手段は、さらに前記印刷手段を制御して、
前記読み取り手段の読み取り結果を用いて、前記印刷画像を、前記置換領域を前記置換画像に置換した上で複写させることを特徴とする複合機。
【請求項１７】
記録媒体に印刷を行う印刷手段、及び前記記録媒体に印刷された画像を読み取る読取手段を含む複合機と、
前記複合機の制御を行う制御装置とを備えた複写システムであって、
前記印刷手段による印刷の制御を行う印刷制御手段と、
前記読取手段による画像の読取の制御を行う読取制御手段とを備え、
前記印刷制御手段は、前記印刷手段を制御して、
印刷画像と、
前記印刷画像の少なくとも一部の領域であり、複写時に置換され得る置換領域の情報、及び、前記置換領域を置換する置換画像が記録されたバーコードとを印刷させ、
前記読取制御手段は、前記読取手段を制御して、
前記印刷手段によって印刷された前記印刷画像及びバーコードを読み取らせ、
前記印刷制御手段は、さらに前記印刷手段を制御して、
前記読み取り手段の読み取り結果を用いて、前記印刷画像を、前記置換領域を前記置換画像に置換した上で複写させることを特徴とする複写システム。
【発明の詳細な説明】
【技術分野】
【０００１】
本発明は、画像の印刷を行う印刷方法、当該印刷方法によって印刷された画像を複写する複写方法、並びに、このような印刷方法や複写方法によって画像の印刷や複写を行う複合機及び複写システムに関する。
【背景技術】
【０００２】
特許文献１には、自動車などの製品の写真が印刷されたポスターに、複数の言語に対応したＵＲＬが記録されたバーコードが印刷されており、各バーコードを読み取ると、読み取ったバーコードに対応する言語でその製品の説明が記載されたウェブサイトが表示されることが記載されている。
【先行技術文献】
【特許文献】
【０００３】
【特許文献１】特開２００５−２０７２７号公報
【発明の概要】
【発明が解決しようとする課題】
【０００４】
本発明の発明者は、特許文献１の記載から、ある画像が記録されている印刷用紙に、特許文献１のようなウェブサイトのＵＲＬなどではなく、当該画像の少なくとも一部を置換した画像が記録されたバーコードを印刷しておき、複写機や複合機などによってこのバーコードを読み取らせることによって、当該画像の少なくとも一部が置換された画像として複写させることを考えた。
【０００５】
しかしながら、この場合には、複写元の画像における置換される領域の大きさに関わらず、複写される画像全体のデータをバーコードに記録しておく必要があるため、バーコードに記録されるデータのデータ量の増大につながる。
【０００６】
本発明の目的は、バーコードに記録されるデータのデータ量を極力小さくしつつ、画像の少なくとも一部を置換した画像として複写できる印刷物を印刷する印刷方法、このような印刷方法によって印刷された印刷物を用いて画像を複写する複写方法、及び、このような印刷方法及び複写方法に沿って画像の印刷及び複写を行う複合機及び複写システムを提供することである。
【課題を解決するための手段】
【０００７】
第１の発明に係る印刷方法は、印刷画像と、前記印刷画像の少なくとも一部の領域であり、複写時に置換され得る置換領域の情報、及び、前記置換領域を置換する置換画像が記録されたバーコードとを記録媒体に印刷することを特徴とする。
【０００８】
本発明によると、印刷画像を、少なくともその一部の置換領域をバーコードに記録された置換画像に置換した上で複写させることができる。また、バーコードには、印刷画像のうち置換領域を置換する置換画像だけが記録されているため、複写元の画像と複写された画像とで共通の部分がある場合には、共通の部分についてはバーコードに記録しておく必要がなく、バーコードに記録されるデータのデータ量を極力抑えることができる。
【０００９】
第２の発明に係る印刷方法は、第１の発明に係る印刷方法において、前記印刷画像の一部のみが前記置換領域であって、前記印刷画像の前記置換領域以外の領域は、複写時にそのまま複写される複写領域であることを特徴とする。
【００１０】
本発明によると、複写される画像が複写元の印刷画像の一部である置換領域のみを置換した画像である場合には、バーコードに置換領域を置換する置換画像のみを記録しておき、それ以外の複写領域については、複写時に複写元の画像から読み取らせたものをそのまま複写させることとすれば、バーコードに記録される置換画像のデータ容量を小さくすることができる。
【００１１】
第３の発明に係る印刷方法は、第１又は第２の発明に係る印刷方法において、前記バーコードとして、少なくとも前記置換領域の情報が記録された第１バーコードと、少なくとも前記置換画像が記録された第２バーコードとを印刷することを特徴とする。
【００１２】
本発明によると、印刷画像における置換領域と、置換画像とが別々のバーコードに記録されているため、ある程度データ容量の大きい置換画像でもバーコードに記録することができる。
【００１３】
第４の発明に係る印刷方法は、第３の発明に係る印刷方法において、前記第１バーコードを、前記記録媒体の特定の位置にのみ印刷することを特徴とする。
【００１４】
記録媒体上には、第１バーコードと第２バーコードとが印刷されているが、本発明によると、第１バーコードが記録媒体の特定の位置にのみ印刷されているため、複写時の読み取りの際に第１バーコードを容易に識別させることができる。
【００１５】
第５の発明に係る印刷方法は、第３の発明に係る印刷方法においては、前記第１バーコードの近傍に、前記第１バーコードを識別するための識別用画像をさらに印刷することを特徴とする。
【００１６】
記録媒体上には、第１バーコードと第２バーコードとが印刷されているが、本発明に夜と、第１バーコードの近傍に識別用画像が印刷されているため、読み取り時に第１バーコードを容易に識別することができる。
【００１７】
第６の発明に係る印刷方法は、第３〜第５の発明に係る印刷方法において、複数種類の置換画像が記録された複数の第２バーコードを印刷することを特徴とする。
【００１８】
本発明によると、印刷画像を、置換領域を複数種類の置換画像のいずれかに選択的に置換した上で複写させることができる。
【００１９】
第７の発明に係る印刷方法は、第６の発明に係る印刷方法において、前記複数の第２バーコードに記録された前記置換画像の内容を示す内容表示画像をさらに印刷することを特徴とする。
【００２０】
本発明によると、内容表示画像により複数の第２バーコードに記録されている置換画像の内容をユーザに認識させることができるので、置換画像の選択を容易に行わせることができる。
【００２１】
第８の発明に係る印刷方法は、第６の発明に係る印刷方法において、前記第１バーコードに、前記複数の第２バーコードに記録された前記置換画像の内容をを示すデータがさらに記録されていることを特徴とする。
【００２２】
本発明によると、第１バーコードに記録されデータを読み取らせることにより、複数の第２バーコードに記録されている画像の内容をユーザに認識させることができるので、置換画像の選択を容易に行わせることができる。
【００２３】
第９の発明に係る印刷方法は、第６〜第８のいずれかの発明に係る印刷方法において、前記第１バーコードに、前記複数の第２バーコードの位置がさらに記録されていることを特徴とする。
【００２４】
本発明によると、第１バーコードに記録されている複数の第２バーコードの位置を参照させつつ第２バーコードを読み取らせることにより、選択された置換画像に対応する第２バーコードを精度よく読み取らせることができる。
【００２５】
第１０の発明に係る印刷方法は、第１〜第９のいずれかの発明に係る印刷方法において、前記印刷画像は、前記置換領域に、ある言語で記載された文字列を含んでおり、前記置換画像が、前記置換領域の前記文字列が他の言語に翻訳された画像であることを特徴とする。
【００２６】
本発明によると、印刷画像を、ある言語で書かれた部分を別の言語に翻訳させた上で複写させることができる。
【００２７】
第１１の発明に係る複写方法は、第１〜第１０のいずれかの発明に係る印刷方法によって印刷された前記印刷画像及び前記バーコードを読み取り、読み取り結果を用いて、前記印刷画像を、前記置換領域を前記置換画像に置換した上で複写することを特徴とする。
【００２８】
本発明によると、印刷画像を、少なくともその一部の置換領域をバーコードに記録された置換画像に置換した上で複写することができる。
【００２９】
第１２の発明に係る複写方法は、第６〜第９のいずれかの発明に係る印刷方法によって印刷された前記印刷画像、前記第１バーコード、及び、選択された前記置換画像に対応する前記第２バーコードを読み取り、読み取り結果を用いて、前記印刷画像を、前記置換領域を選択された前記置換画像に置換した上で複写することを特徴とする。
【００３０】
本発明によると、印刷画像を、置換領域を複数種類の置換画像のいずれかで選択的に置換した上で複写することができる。
【００３１】
第１３の発明に係る複写方法は、第１１又は第１２の発明に係る複写方法において、前記印刷画像とともに、前記バーコードも複写することを特徴とする。
【００３２】
本発明によると、複写された印刷画像を用いて、置換画像をさらに別の置換画像に置換した上で複写させることができる。
【００３３】
第１４の発明に係る複写方法は、第１３の発明に係る複写方法において、前記置換領域の大きさと、前記置換画像の画像の大きさとが違う場合に、前記バーコードを、記録されている前記置換領域の情報を置換後の情報に書き換えた上で複写することを特徴とする。
【００３４】
本発明によると、複写前と後で置換領域の大きさが変わる場合であっても、複写された印刷画像を用いて、置換画像をさらに別の置換画像に置換した上で複写させることができる。
【００３５】
第１５の発明に係る複写方法は、第１３又は第１４の発明に係る複写方法において、前記印刷画像を拡大複写又は縮小複写する場合に、前記バーコードを、記録されている前記置換領域の情報を拡大又は縮小後の情報に書き換えた上で複写することを特徴とする。
【００３６】
本発明によると、拡大複写又は縮小複写した場合であっても、複写された印刷画像を用いて、置換画像をさらに別の置換画像に置換した上で複写させることができる。
【００３７】
第１６の発明に係る複合機は、記録媒体に印刷を行う印刷手段と、前記記録媒体に印刷された画像を読み取る読取手段と、前記印刷手段による印刷の制御を行う印刷制御手段と、前記読取手段による画像の読取の制御を行う読取制御手段とを備え、前記印刷制御手段は、前記印刷手段を制御して、印刷画像と、前記印刷画像の少なくとも一部の領域であり、複写時に置換され得る置換領域の情報、及び、前記置換領域を置換する置換画像が記録されたバーコードとを印刷させ、前記読取制御手段は、前記読取手段を制御して、前記印刷手段によって印刷された前記印刷画像及びバーコードを読み取らせ、前記印刷制御手段は、さらに前記印刷手段を制御して、前記読み取り手段の読み取り結果を用いて、前記印刷画像を、前記置換領域を前記置換画像に置換した上で複写させることを特徴とする。
【００３８】
第１７の発明に係る複写システムは、記録媒体に印刷を行う印刷手段、及び前記記録媒体に印刷された画像を読み取る読取手段を含む複合機と、前記複合機の制御を行う制御装置とを備えた複写システムであって、前記印刷手段による印刷の制御を行う印刷制御手段と、前記読取手段による画像の読取の制御を行う読取制御手段とを備え、前記印刷制御手段は、前記印刷手段を制御して、印刷画像と、前記印刷画像の少なくとも一部の領域であり、複写時に置換され得る置換領域の情報、及び、前記置換領域を置換する置換画像が記録されたバーコードとを印刷させ、前記読取制御手段は、前記読取手段を制御して、前記印刷手段によって印刷された前記印刷画像及びバーコードを読み取らせ、前記印刷制御手段は、さらに前記印刷手段を制御して、前記読み取り手段の読み取り結果を用いて、前記印刷画像を、前記置換領域を前記置換画像に置換した上で複写させることを特徴とする。
【発明の効果】
【００３９】
本発明によれば、印刷画像を、少なくともその一部の置換領域をバーコードに記録された置換画像に置換した上で複写する又は複写させることができる。また、バーコードには、印刷画像のうち置換領域を置換する置換画像だけが記録されているため、複写元の画像と複写された画像とで共通の部分がある場合には、共通の部分についてはバーコードに記録しておく必要がなく、バーコードに記録されるデータのデータ量を極力抑えることができる。
【図面の簡単な説明】
【００４０】
【図１】本発明における実施の形態に係る複合機を概略的に示す外観図である。
【図２】本発明における実施の形態に係る複合機の電気的構成を概略的に示すブロック図である。
【図３】（ａ）が複合機において読み出したデータに基づいて印刷される画像を示す図であり、（ｂ）が（ａ）の画像を読み取って複写した画像を示す図である。
【図４】図３（ａ）の画像を印刷する手順を示すフローチャートである。
【図５】図３（ａ）画像を読み取って図３（ｂ）の画像として複写する手順を示すフローチャートである。
【図６】図３（ａ）の画像をスキャナに読み取らせる前に行う書き込みを示す図である。
【図７】変形例１の図３（ａ）相当の図である。
【図８】変形例２の図３相当の図である。
【図９】変形例２の図２相当のブロック図である。
【図１０】変形例２の図６相当のフローチャートである。
【図１１】変形例３の図３相当の図である。
【図１２】変形例４の図３相当の図である。
【図１３】変形例４の図６相当のフローチャートである。
【図１４】変形例５の図３相当の図である。
【図１５】変形例６の図３（ａ）相当の図である。
【図１６】変形例６の図６相当のフローチャートである。
【図１７】変形例７の図１相当の図である。
【図１８】変形例７の図２相当のブロック図である。
【発明を実施するための形態】
【００４１】
以下、本発明の好適な実施の形態について説明する。図１は本実施の形態の複合機を概略的に示す外観図であり、図２は複合機の電気的構成を概略的に示すブロック図である。
【００４２】
図１、図２に示すように、本実施の形態の複合機１は、印刷用紙Ｓ（記録媒体）に画像を印刷する印刷ヘッド２と、印刷用紙Ｓを所定方向（図１の前方）へ搬送する用紙搬送機構３と、印刷用紙Ｓに印刷された画像を読み取るスキャナ４と、印刷ヘッド２、用紙搬送機構３、スキャナ４等、複合機１の各種機構をそれぞれ制御する制御装置５を備えている。
【００４３】
図１に示すように、複合機１は、略直方体状の本体６を有し、この本体６内に、印刷ヘッド２、用紙搬送機構３等が収容されている。印刷ヘッド２としては、インクジェット方式や、レーザー方式、あるいは、熱転写方式等、公知の方式で印刷用紙Ｓに印刷を行うものが用いられる。また、用紙搬送機構３は、モータで回転駆動される搬送ローラによって印刷用紙Ｓを所定方向へ搬送するように構成されている。
【００４４】
スキャナ４は、本体６の上部に設けられている。図１に示すように、このスキャナ４は、ガラス板からなる載置台（図示省略）と、この載置台の下側に配置された読取ユニット（図示省略）と、載置台の上面を覆うカバー７とを備えている。そして、スキャナ４は、載置台の上面に原稿が載置された後にカバー７が閉じられた状態で、読取ユニットにより原稿に印刷された画像を読み取るように構成されている。
【００４５】
本体６の前部の上側部分には傾斜面６ａが形成され、この傾斜面６ａには、ユーザにより操作される複数の操作ボタンからなる操作部８と、複合機１の動作状態やエラーメッセージ、後述するバーコードから読み取った内容等を表示するディスプレイ９が設けられている。また、本体６の前面の右側部分には、メモリーカード１１が装着されるスロット１０が設けられている。そして、メモリーカード１１に記録されている画像データ等のデータは、スロット１０で読み出されて制御装置５に入力される。
【００４６】
なお、以下では、説明の便宜上、メモリーカード１１からスロット１０を介して複合機１へ画像データが入力されるものとするが、複合機１への画像データの入力はこのような構成に限られるものではない。例えば、複合機１とデジタルカメラがケーブルで接続され、このケーブルを介して複合機１へ画像データが入力されてもよい。あるいは、カメラ機能付き携帯電話等から、赤外線等を利用した無線通信を介して複合機１へ画像データが入力されてもよい。
【００４７】
次に、制御装置５を中心とする複合機１の電気的構成について、図２を参照して説明する。
【００４８】
制御装置５は、中央演算処理装置であるＣＰＵ（Central Processing Unit）と、複合機１の各種機構を制御するためのプログラムやデータ等が格納されたＲＯＭ（Read Only Memory）、ＣＰＵで処理されるデータを一時的に記憶するＲＡＭ（Random ccess Memory）、外部装置との間の信号の入出力を行う入出力インターフェース等で構成されている。
【００４９】
図２に示すように、制御装置５は、印刷制御部２１、読取制御部２２などを備えている。読取制御部２２は、スキャナ４に画像及びバーコードを読み取らせる際の制御を行うものであって、スキャナ制御部４１、読取画像記憶部４２及び読取画像処理部４３を備えている。
【００５０】
スキャナ制御部４１は、画像を読み取らせる際のスキャナ４の動作を制御する。読取画像記憶部４２は、スキャナ４によって読み取られた画像を一時的に記憶する。読取画像処理部４３は、読取画像記憶部４２に記憶された画像を処理して、後述するバーコードに記録されたデータの読み出しや、選択情報の取得などを行う。
【００５１】
印刷制御部２１は、複合機１において印刷を行う際の制御を行うものであって、ヘッド制御部３１、搬送制御部３２及び印刷データ生成部３３を備えている。ヘッド制御部３１及び搬送制御部３２は、それぞれ、複合機１において印刷を行う際の印刷ヘッド２及び用紙搬送機構３の制御を行う。印刷データ生成部３３は、後述するように、スロット１０に装着されたメモリーカード１１に記録された画像データ、あるいは、読取画像記憶部４２に記憶された画像、及び、読取画像処理部４３によって後述するバーコードから読み出されたデータなどに基づいて、印刷される画像の印刷データを生成する。
【００５２】
そして、ユーザによる操作部８からの印刷指令が入力されたときに、メモリーカード１１から入力された画像データに基づく画像の印刷、及び、後述する当該画像の複写が行われる。
【００５３】
また、制御装置５は、複合機１の状態（印刷状態、または、待機状態）やエラーメッセージ等をディスプレイ９に表示させて、これらの情報をユーザに通知する。
【００５４】
次に、複合機１において印刷される画像、及び、複合機１において当該印刷された画像に基づいて複写される画像について説明する。複合機１においては、スロット１０に装着されたメモリーカード１１に記録されたデータに基づいて、例えば、図３（ａ）に示すような画像Ａ１を印刷する。図３（ａ）は、複合機１によって印刷される画像の一例を示す図である。
【００５５】
図３（ａ）に示すように、画像Ａ１は、印刷画像Ｃ１、第１バーコードＢ１、及び、４つの第２バーコードＢ２ａ〜Ｂ２ｄを含んでいる。印刷画像Ｃ１は、日本語のテキストＴ１（文字列）、日本語のテキスト部分（文字列）を含むグラフＧ１、テキスト部分のない写真Ｐ１などからなる。
【００５６】
第１バーコードＢ１は、印刷用紙Ｓの左上端部に配置されている。第１バーコードＢ１には、印刷画像Ｃ１における、後述する複写時に置換される置換領域の位置の情報が記録されている。ここで、本実施の形態では、印刷画像Ｃ１のうち、テキストＴ１が配置された領域が置換領域Ｒｒ１となっており、グラフＧ１が配置された領域が置換領域Ｒｒ２となっている。すなわち、本実施の形態では、印刷画像Ｃ１は、置換領域Ｒｒ１、Ｒｒ２に日本語で記載された文字列を含んでいる。
【００５７】
また、印刷画像Ｃ１のうち、写真Ｐ１が配置された領域など、それ以外の領域は、複写時にそのまま複写される複写領域Ｒｃとなっている。さらに、画像Ａ１においてには、後述する複写の際に第１バーコードＢ１を識別するための識別用マークＭ（識別用画像）が、第１バーコードＢ１を取り囲むように配置されている。
【００５８】
第２バーコードＢ２ａ〜Ｂ２ｄは、第１バーコードＢ１の右側に左右方向に配列されている。第２バーコードＢ２ａ〜Ｂ２ｄには、それぞれ、後述する複写時にテキストＴ１及びグラフＧ１を置換する、テキストＴ１及びグラフＧ１が英語、日本語、中国語及びフランス語に翻訳されたテキストＴ２及びグラフＧ２（置換画像）が記録されている。ただし、第２バーコードＢ２ｂに記録されている日本語のテキストＴ２及びグラフＧ２のデータは、テキストＴ１及びグラフＧ１と同じデータである。また、各第２バーコードＢ２ａ〜Ｂ２ｄの下方には、それぞれ、第２バーコードＢ２ａ〜Ｂ２ｄに記録されている内容を識別するための言語名Ｌａ〜Ｌｄ（内容表示画像）が配置されている。これにより、ユーザは、言語名Ｌａ〜Ｌｄを参照することにより、第２バーコードＢ２ａ〜Ｂ２ｄに記録されている内容を知ることができる。また、上記第１バーコードＢ１には、さらに、第２バーコードＢ２ａ〜Ｂ２ｄ及び言語名Ｌａ〜Ｌｄが印刷される位置の情報が記録されている。
【００５９】
図３（ｂ）は、複合機１において図３（ａ）の画像Ａ１を複写したときに得られる画像Ａ２の一例を示す図である。図３（ｂ）に示すように、図３（ａ）の画像Ａ１を複写すると、印刷画像Ｃ１のうちの一部である日本語のテキストＴ１及びグラフＧ１が、別の言語（図では英語）のテキストＴ２及びグラフＧ２に置換されるとともに、写真Ｐ１を含むそれ以外の複写領域Ｒｃはそのまま複写された印刷画像Ｃ２と、そのまま複写された第１バーコードＢ１及び第２バーコードＢ２ａ〜Ｂ２ｂとからなる画像Ａ２として複写される。すなわち、複合機１においては、日本語で印刷された画像を別の言語に翻訳した上で複写することができるようになっている。
【００６０】
次に、図３（ａ）に示す画像Ａ１を印刷する手順について説明する。図４はこの手順を示すフローチャートである。
【００６１】
画像Ａ１を印刷するためには、予め、図３（ａ）に示す画像Ａ１の画像データを準備してメモリーカード１１に記録しておく。より詳細に説明すると、画像編集ソフトなどによって、図３（ａ）に示すような、テキストＴ１、グラフＧ１及び写真Ｐ１などを含む印刷画像Ｃ１、第１バーコードＢ１、第２バーコードＢ２ａ〜Ｂ２ｄ、識別用マークＭ、言語名Ｌａ〜Ｌｄなどが配置された画像Ａ１のデータを生成して、メモリーカード１１に記録しておく。
【００６２】
そして、図４に示すように、スロット１０に装着されたメモリーカード１１から画像Ａ１の画像データを読み出す（ステップＳ１０１、以下、単にＳ１０１などとする）。次に、印刷データ生成部３３において、メモリーカード１１から読み出した画像データから印刷データを生成し（Ｓ１０２）、生成した印刷データに基づいて画像の印刷を行う（Ｓ１０３）。これにより、図３（ａ）に示すような、画像Ａ１が印刷される。
【００６３】
次に、画像Ａ１をその一部を置換した画像Ａ２として複写する手順について説明する。図５は、複合機１において画像Ａ１をその一部を置換した画像Ａ２として複写する手順を示すフローチャートである。ただし、本実施の形態においては、以下に説明するように、スキャナ４により画像Ａ１を読み取らせる前に、図６に示すように、ペンなどにより、印刷されている４つの言語名Ｌａ〜Ｌｄのうちの１つ（図では言語名Ｌａ（Ｅｎｇｌｉｓｈ））を囲むように書き込みＷを行う。
【００６４】
そして、書き込みＷをした画像Ａ１をスキャナ４に読み取らせ、読み取られた画像Ａ１を読取画像記憶部４２に記憶させる（Ｓ２０１）。
【００６５】
次に、読取画像処理部４３により、読取画像記憶部４２に記憶された画像Ａ１の第１バーコードＢ１から記録されたデータを読み出す。（Ｓ２０２）。ここで、読み取った画像Ａ１には、第１バーコードＢ１及び第２バーコードＢ２ａ〜Ｂ２ｄの合計５つのバーコードが印刷されているが、画像Ａ１においては、第１バーコードＢ１を囲むように識別用マークＭが配置されているため、読取画像処理部４３は、識別用マークＭの位置に基づいて第１バーコードＢ１と第２バーコードＢ２ａ〜Ｂ２ｄとを識別することができる。したがって、誤って第２バーコードＢ２ａ〜Ｂ２ｄに記録されたデータを読み出してしまうのを防止することができる。また、識別用マークＭの位置に基づいて第１バーコードＢ１を識別することができるので、画像Ａ１における第１バーコードＢ１の配置の自由度が高くなる。
【００６６】
次に、読取画像処理部４３が、書き込みＷの位置と、上記Ｓ２０２において第１バーコードＢ１から読み出した言語名（図では言語名Ｌａ）の位置とから、どの言語（第２バーコード）が選択されたかの選択情報を取得する（Ｓ２０３）。そして、取得した選択情報と、第１バーコードＢ１から読み出した第２バーコードＢ２ａ〜Ｂ２ｄの位置の情報とに基づいて、４つの第２バーコードＢ２ａ〜Ｂ２ｄのうち選択されたもの（第２バーコードＢ２ａ）から、置換画像（テキストＴ２及びグラフＧ２）を読み出す（Ｓ２０４）。
【００６７】
ここで、本実施の形態では、第１バーコードＢ１に第２バーコードＢ２ａ〜Ｂ２ｄの位置が記録されているため、第１バーコードＢ１に記録される第２バーコードＢ２ａ〜Ｂ２ｄの情報を変更することにより、画像Ａ１における第２バーコードＢ２ａ〜Ｂ２ｄの位置を自由に変更することができる。
【００６８】
次に、印刷データ生成部３３が、読取画像記憶部４２に記憶された画像Ａ１、第１バーコードＢ１から読み出した置換領域Ｒｒ１、Ｒｒ２の位置の情報、及び、第２バーコードＢ２ａ〜Ｂ２ｄから読み出した置換画像から、印刷画像Ｃ１のうち、置換領域Ｒｒ１、Ｒｒ２のテキストＴ１及びグラフＧ１が、それぞれ、テキストＴ２及びグラフＧ２が置換されるとともに、写真Ｐ１などを含むそれ以外の複写領域Ｒｃはそのまま複写された印刷画像Ｃ２と、画像Ａ１からそのまま複写された第１バーコードＢ１、第２バーコードＢ２ａ〜Ｂ２ｄからなる画像Ａ２の印刷データを生成する（Ｓ２０５）。そして、生成した印刷データに基づいて、画像Ａ２の印刷を行う（Ｓ２０６）。これにより、印刷画像Ｃ１が、その一部が置換された印刷画像Ｃ２として複写される。すなわち、日本語の印刷画像Ｃ１が、英語に翻訳された印刷画像Ｃ２として複写される。
【００６９】
また、ここでは、日本語で印刷された印刷画像Ｃ１を英語に翻訳された印刷画像Ｃ２として複写する場合について説明したが、本実施の形態では、画像Ａ１が、４つの第２バーコードＢ２ａ〜Ｂ２ｄを有しているため、言語名Ｌｃ（中文）、Ｌｄ（Ｆｒａｎｃａｉｓ）を囲むように書き込みＷを行った上で画像Ａ１をスキャナ４に読み取らせれば、印刷画像Ｃ１を、それぞれ、中国語及びフランス語に翻訳された印刷画像Ｃ２として複写することも可能である。なお、言語名Ｌｂ（日本語）を囲むように書き込みＷを行った上で、画像Ａ１をスキャナ４に読み取らせた場合には、印刷されているテキストＴ１及びグラフＧ１と、第２バーコードＢ２ｂに記録されているテキストＴ２及びグラフＧ２は同じものであるため、画像Ａ１全体がそのまま複写されることとなる。
【００７０】
このように、複写元の画像を読み取り、その一部を置換した上で複写する場合、仮に、複写元の画像の一部を置換した画像全体がバーコードに記録されているとすると、複写時に、バーコードを読み取り、読み取ったバーコードに記録された画像をそのまま印刷すれば、元の画像の一部が置換された画像の印刷を行うことができる。
【００７１】
しかしながら、この場合には、複写元の画像から置換される部分（本実施の形態ではテキストＴ２、グラフＧ２）に加えて、そのまま複写される部分（本実施の形態では複写領域Ｒｃの写真Ｐ１など）もバーコードに記録しておく必要があるため、バーコードに記録されるデータのデータ量が大きくなってしまう。
【００７２】
これに対して、本実施の形態では、画像Ａ１における置換領域Ｒｒ１、Ｒｒ２の位置の情報が第１バーコードＢ１に記録されているとともに、第２バーコードＢ２ａ〜Ｂ２ｄに、置換領域Ｒｒ１のテキストＴ１を置換するテキストＴ２、及び、置換領域Ｒｒ２のグラフＧ１を置換するグラフＧ２のデータのみが記録されており、複写時に、これらの部分については、第２バーコードＢ２ａ〜Ｂ２ｄから読み出して印刷するとともに、写真Ｐ１などそれ以外の部分（複写領域Ｒｃ）については、複写元の印刷画像Ｃ１から読み取ったものをそのまま複写するため、第２バーコードＢ２ａ〜ｂ２ｄに、複写元の印刷画像Ｃ１と複写された印刷画像Ｃ２とで共通の部分を記録しておく必要がなく、記録されるデータのデータ量を小さくすることができる。
【００７３】
また、置換領域Ｒｒ１、Ｒｒ２の位置が記録された第１バーコードＢ１と、置換領域を置換する置換画像が記録された第２バーコードＢ２ａ〜Ｂ２ｄとが別々に設けられているため、第２バーコードＢ２ａ〜Ｂ２ｄに、１つのバーコードに置換領域Ｒｒ１、Ｒｒ２の位置と置換画像の両方を記録させる場合よりもデータ量の大きい置換画像を記録することができる。
【００７４】
また、複写された画像Ａ２に、印刷画像Ｃ２とともに、第１バーコードＢ１及び第２バーコードＢ２ａ〜Ｂ２ｄを複写しているため、画像Ａ２をスキャナ４に読み取らせることにより、印刷画像Ｃ２をさらに別の言語に翻訳された印刷画像として複写することができる。
【００７５】
次に、本実施の形態に種々の変更を加えた変形例について説明する。ただし、本実施の形態と同様の構成を有するものについては適宜その説明を省略する。
【００７６】
一変形例（変形例１）では、図７に示すように、グラフＧ１のうち、テキストの部分のみが、置換領域Ｒｒ３となっており、第２バーコードＢ２ａ〜Ｂ２ｄには、それぞれ、置換領域Ｒｒ３の配置されたグラフＧ１のテキスト部分を、英語、日本語、中国語及びフランス語に置換するためのテキストのデータが記録されている。
【００７７】
この場合には、第２バーコードＢ２ａ〜Ｂ２ｄには、グラフＧ１のうち、置換されるテキスト部分のデータのみを記録しておけばよいので、第２バーコードＢ２ａ〜ｂ２ｄに記録されるデータのデータ量をさらに小さくすることができる。
【００７８】
別の一変形例（変形例２）では、図８に示すように、印刷画像Ｃ１においてテキストＴ１が配置されている置換領域Ｒｒ１と、複写された印刷画像Ｃ３においてテキストＴ２が配置されている置換領域Ｒｒ４とが、大きさの異なるものとなっている。また、これにあわせて、画像Ａ２に印刷されている第１バーコードＢ１ａは、画像Ａ３に印刷されている第１バーコードＢ１において、記録されている置換領域Ｒｒ１の位置の情報が、置換領域Ｒｒ４の位置の情報に書き換えられたものとなっている。
【００７９】
この場合には、複写された画像Ａ３において、第１バーコードＢ１ａに記録された置換領域の位置の情報が、複写元の印刷画像Ｃ１における置換領域Ｒｒ１の位置の情報から、複写された印刷画像Ｃ２における置換領域Ｒｒ４の位置の情報に書き換えられているため、複写元の画像と複写された画像とで、置換領域の位置や大きさが異なっている場合でも、複写された画像Ａ３を読み取らせることにより、印刷画像Ｃ３の一部をさらに置換した印刷画像として複写することができる。
【００８０】
また、この場合には、図９に示すように、制御装置５が、置換領域Ｒｒ４の位置を算出する領域算出部５１と、第１バーコードＢ１ａのバーコードデータを生成するバーコードデータ生成部５２とをさらに備えている。
【００８１】
そして、図１０に示すように、上記Ｓ２０４の後、領域算出部５１が、第１バーコードＢ１から読み出した置換領域Ｒｒ１の位置の情報と、第２バーコードＢ２ａから読み出したテキストＴ２のデータとから、置換領域Ｒｒ４の位置を算出し（Ｓ３０１）、バーコードデータ生成部５２が、読み取った第１バーコードＢ１のデータと、上記Ｓ３０１において算出した置換領域Ｒｒ４の位置とから、第１バーコードＢ１ａのバーコードデータを生成する（Ｓ３０２）。そして、上記Ｓ２０５において、上記Ｓ２０４で第２バーコードＢ２ａから読み出したデータ、上記Ｓ２０５で読み取った画像Ａ１のデータ、及び、上記Ｓ３０２において生成した第１バーコードＢ１ａのデータから、画像Ａ３の印刷データを生成する。
【００８２】
また、別の一変形例（変形例３）では、図１１に示すように、画像Ａ１を、上述の実施の形態と同様、印刷画像Ｃ１の一部を置換した印刷画像Ｃ２として複写するとともに、その全体を、ユーザが操作部８を操作することによって設定した縮小率で縮小した画像Ａ４として複写している。また、当該画像の縮小にあわせて、画像Ａ４に印刷されている第１バーコードＢ１ｂは、画像Ａ１に印刷されている第１バーコードＢ１において、記録されている置換領域Ｒｒ１、Ｒｒ２の位置の情報が、縮小後の位置の情報に書き換えられたものとなっている。
【００８３】
なお、図１１では、複写された画像Ａ４において、第１バーコードＢ１ｂ及び第２バーコードＢ２ａ〜Ｂ２ｄも縮小されているが、縮小されたからといって記録可能なデータ量が小さくなるわけではなく、第１バーコードＢ１ｂ及び第２バーコードＢ２ａ〜Ｂ２ｄと同程度のデータ量のデータを記録することは可能である。
【００８４】
また、図１１では、第１バーコードＢ１ｂ及び第２バーコードＢ２ａ〜Ｂ２ｄを縮小して印刷していたが、、レイアウト上許されるのであれば、画像Ａ４を読み取らせたときの第１バーコードＢ１ｂ及び第２バーコードＢ２ａ〜Ｂ２ｄの読み取り精度を確保するために、画像Ａ４における第１バーコードＢ１ｂ及び第２バーコードＢ２ａ〜Ｂ２ｄを、画像Ａ１の第１バーコードＢ１及び第２バーコードＢ２ａ〜Ｂ２ｄと同程度の大きさで印刷してもよい。
【００８５】
この場合でも、複写された画像Ａ４において、第１バーコードＢ１ｂに記録された置換領域の位置の情報が、縮小後の置換領域Ｒｒ１、Ｒｒ２の位置の情報に書き換えられているため、複写された画像Ａ４を読み取らせることにより、印刷画像Ｃ４の一部をさらに置換した画像として複写することができる。
【００８６】
また、この場合には、図１０の上記Ｓ３０１において、第１バーコードＢ１に記録された置換領域Ｒｒ１、Ｒｒ２の位置の情報と、設定された縮小率とから、画像Ａ４における置換領域Ｒｒ１、Ｒｒ２の位置を算出すればよい。
【００８７】
なお、変形例３では、画像Ａ１を縮小複写する場合について説明したが、画像Ａ１を拡大複写する場合も同様である。
【００８８】
また、本実施の形態では、画像Ａ１に、テキストＴ１やグラフＧ１と同じデータが記録された第２バーコードＢ２ｂが配置されていたが、例えば、図１２（ａ）に示すように、４つの第２バーコードＢ２ａ〜Ｂ２ｄのうち、印刷画像Ｃ１の置換領域Ｒｒ１、Ｒｒ２と同じデータが記録された第２バーコードＢ２ｂは印刷されておらず、他の３つの第２バーコードＢ２ａ、Ｂ２ｃ、Ｂ２ｄのみが配置された画像Ａ５を印刷してもよい（変形例４）。
【００８９】
この場合には、複写を行う際に、図１３に示すように、上記Ｓ２０４の後、上記Ｓ２０１で読み取った印刷画像Ｃ１から、置換領域Ｒｒ１のテキストＴ１及び置換領域Ｒｒ２のグラフＧ１が記録された第２バーコードＢ２ｂのデータを生成し（Ｓ４０１）、その後、上記Ｓ２０５において、第２バーコードＢ２ａから読み取ったデータ、読み取った画像Ａ１、及び、上記Ｓ４０１において生成した第２バーコードＢ２ｂのデータから、図１２（ｂ）に示すように、印刷画像Ｃ１の一部が置換された印刷画像Ｃ２として複写されるとともに、第２バーコードＢ２ａが、第２バーコードＢ２ｂに入れ替わった画像Ａ６の印刷データを生成する。
【００９０】
あるいは、複写の際、上記Ｓ４０１のバーコードデータの生成は行わず、上記Ｓ２０５において、第２バーコードＢ２ａ、Ｂ２ｂのいずれもが印刷されていない画像の印刷データを生成してもよい。
【００９１】
また、上述の実施の形態では、複写後の画像Ａ２にも第１バーコードＢ１及び第２バーコードＢ２ａ〜Ｂ２ｄを印刷していたが、図１４に示すように、印刷画像Ｃ１及び第１バーコードＢ１及び第２バーコードＢ２ａ〜Ｂ２ｂが印刷された画像Ａ１を、第１バーコードＢ１及び第２バーコードＢ２ａ〜Ｂ２ｄのない、印刷画像Ｃ１の一部が置換された印刷画像Ｃ２のみからなる画像Ａ７として複写してもよい（変形例５）。
【００９２】
また、本実施の形態では、第１バーコードＢ１を囲むように識別用マークＭを印刷しており、スキャナ４は、この識別用マークＭにより第１バーコードＢ１の位置を認識していたが、識別用マークＭは、第１バーコードＢ１の近傍に配置されたものであれば、第１バーコードＢ１を囲むように配置されているものには限られない。
【００９３】
さらには、制御装置５のＲＯＭなどに予め第１バーコードＢ１が印刷される位置が記憶されており、画像Ａ１を印刷する際に、識別用マークＭの印刷は行わず、常に、制御装置５のＲＯＭなどに記憶された特定の位置に第１バーコードＢ１を印刷してもよい。この場合には、スキャナ４は、制御装置５のＲＯＭなどに記憶された上記特定の位置の情報を読み出すことにより、第１バーコードＢ１の位置を認識することができる。
【００９４】
また、本実施の形態では、第２バーコードＢ２ａ〜Ｂ２ｄの位置の情報が記録された第１バーコードＢ１を印刷しており、スキャナ４は、第１バーコードＢ１に記録された第２バーコードＢ２ａ〜Ｂ２ｄの位置の情報により第２バーコードＢ２ａ〜Ｂ２ｄが印刷されている位置を認識していたが、これには限られない。
【００９５】
例えば、複合機１において、制御装置５のＲＯＭなどに予め第２バーコードＢ２ａ〜Ｂ２ｄが印刷される位置が記憶されており、画像Ａ１を印刷する際に、置換領域Ｒｒ１、Ｒｒ２の位置の情報など、第２バーコードＢ２ａ〜Ｂ２ｄの位置以外の情報のみが記録された第１バーコードＢ１を印刷するとともに、制御装置５のＲＯＭなどに記憶された特定の位置に第２バーコードＢ２ａ〜Ｂ２ｄを印刷してもよい。この場合には、スキャナ４は、制御装置５のＲＯＭなどに記録された上記特定の位置の情報を読み出すことにより、第２バーコードＢ２ａ〜Ｂ２ｄの位置を認識することができる。
【００９６】
また、本実施の形態では、各第２バーコードＢ２ａ〜Ｂ２ｄの下方に、それぞれ、対応する言語名Ｌａ〜Ｌｄを印刷していたが、言語名Ｌａ〜Ｌｄは、別の位置に配置されていてもよい。なお、このとき、言語名Ｌａ〜Ｌｄは、第２バーコードＢ２ａ〜Ｂ２ｄの近傍、及び、第２バーコードＢ２ａ〜Ｂ２ｄから離れた位置のいずれに配置されていてもよい。
【００９７】
この場合でも、第１バーコードＢ１に、第２バーコードＢ２ａ〜Ｂ２ｄの位置の情報、及び、言語名Ｌの位置の情報が記録されていれば、本実施の形態と同様、印刷画像Ｃ１を、選択された言語に翻訳された印刷画像Ｃ２として複写することができる。
【００９８】
また、本実施の形態では、印刷用紙Ｓ上に印刷された言語名Ｌａ〜Ｌｄを囲む書き込みＷを行うことにより、言語を選択できるようになっていたがこれには限られない。例えば、印刷された言語名Ｌａ〜Ｌｄを見て第２バーコードＢ２ａ〜Ｂ２ｄのいずれか自身を囲むように書き込みを行うことや、言語名Ｌの近傍にチェックボックスなどをさらに印刷しておき、チェックボックスにチェックを入れることなどによって言語を選択できるようになっていてもよい。
【００９９】
さらには、印刷された画像に何らかの書き込みを行うことによって言語を選択できるようになっていることには限られない。例えば、第１バーコードに記録されている、第２バーコードＢ２ａ〜Ｂ２ｄに対応する言語名の情報など、第２バーコードＢ２ａ〜Ｂ２ｄに記録されている内容を示すデータに基づいて、複合機１のディスプレイ９に言語名を表示させ、ディスプレイ９の表示を参照しつつ操作部８を操作することによって言語を選択できるようになっていてもよい。
【０１００】
また、本実施の形態では、置換領域Ｒｒ１、Ｒｒ２の位置の情報が記録された第１バーコードと、置換領域Ｒｒ１、Ｒｒ２を置換する置換画像が記録された第２バーコードＢ２ａ〜Ｂ２ｄとが別々に設けられていたが、これには限られない。
【０１０１】
別の一変形例（変形例６）では、図１５に示すように、複写元の画像Ａ８に、画像Ａ１（図３参照）に配置されていた第１バーコードＢ１及び４つの第２バーコードＢ２ａ〜Ｂ２ｄの代わりに、４つのバーコードＢ３ａ〜Ｂ３ｄが配置されている。そして、４つのバーコードＢ３ａ〜ｂ３ｄには、それぞれ、上記第２バーコードＢ２ａ〜Ｂ２ｄ（図３参照）に記録されているのと同じ、置換領域Ｒｒ１、Ｒｒ２を置換する置換画像が記録されているとともに、４つのバーコードＢ３ａ〜Ｂ３ｄの全てに共通に、第１バーコードＢ１（図３参照）に記録されていた置換領域Ｒｒ１、Ｒｒ２の位置の情報などが記録されている。また、バーコードＢ３ａ〜Ｂ３ｄ及び言語名Ｌａ〜Ｌｄが配置される位置は、複合機１の制御装置５のＲＯＭなどに予め記録されている。
【０１０２】
この場合には、画像Ａ８を複写する際に、図１６に示すように、まず、上記Ｓ２０１においてスキャナ４により画像Ａ８を読み取り、書き込みＷの位置と、制御装置５のＲＯＭなどに記録された言語名Ｌａ〜Ｌｄの位置の情報から、選択された言語（バーコード）の選択情報を取得する（Ｓ５０１）。次に、Ｓ５０１において取得した選択情報と、制御装置５のＲＯＭなどに記録されたバーコードＢ３ａ〜Ｂ３ｄの位置の情報に基づいて、バーコードＢ３ａ〜Ｂ３ｄのうち、選択情報に対応するものに記録されたデータを読み出す（Ｓ５０２）。以下の手順は、上記Ｓ２０５、Ｓ２０６と同様である。ただし、変形例６の場合には、上記Ｓ２０５において、バーコードＢ３ｂに記録されたデータを用いて印刷データを生成する。
【０１０３】
また、本実施の形態では、印刷用紙Ｓに、４つの第２バーコードＢ２ａ〜Ｂ２ｄを印刷していたが、これには限れらず、言語の種類などに応じて、１〜３個、あるいは、５個以上の第２バーコードの数を印刷してもよい。
【０１０４】
また、以上では、印刷画像の一部の置換領域のテキストを、別の言語に翻訳した上で複写する例について説明したが、これには限られず、例えば、バーコードにフォントなどを変更したテキストを記録しておき、置換領域のテキストのフォントなどを変更した上で複写することも可能である。
【０１０５】
さらには、テキスト（文字列）を置換することには限られず、バーコードにテキスト部分のない絵や写真を記録しておき、印刷画像を、置換領域に配置された絵や写真などを、バーコードに記録された絵や写真などに置換した上で複写することも可能である。
【０１０６】
さらには、印刷画像の一部のみを置換することには限られず、バーコードに印刷画像全体を置換する置換画像を記録しておき、印刷画像全体を置換した上で複写することも可能である。
【０１０７】
また、本実施の形態では、全ての処理が複合機１内で行われていたが、これには限られない。別の一変形例（変形例７）では、図１７、図１８に示すように、複合機１０１とＰＣ１０２（制御装置）とが接続されることによって印刷システム１００が形成されている。ＰＣ１０２は、ＣＰＵ、ＲＯＭ、ＲＡＭ、ハードディスク等の大容量記憶装置などを備えている。大容量記憶装置には、ＣＰＵによって実行される種々のアプリケーションプログラムや、画像データ等の各種データが格納されている。
【０１０８】
そして、変形例７では、ＰＣ１０２が、複合機１（図１、図２参照）において、制御装置５が備えていた、印刷制御部２１の印刷データ生成部３３と、読取制御部２２の読取画像記憶部４２及び読取画像処理部４３とを備えているとともに、上記大容量記憶装置によって構成されるものであって、複写元の画像のデータが記録された画像データ記録部１０３を備えている。そして、印刷データ生成部３３は、ＰＣ１０２の画像データ記録部１０３に記憶された画像データ、あるいは、ＰＣ１０２の読取画像記憶部４２に記憶された画像と、読取画像処理部４３における処理結果とに基づいて、印刷データを生成する。一方、複合機１０１は、複合機１（図１、図２参照）から、印刷データ生成部３３、読取画像記憶部４２及び読取画像処理部４３を除いた構成となっている。
【０１０９】
そして、変形例７においては、上記実施の形態に対して、一部の処理をＰＣ１０２側で行うという違いはあるものの、その結果、実現される作用・効果はほぼ同じである。すなわち、印刷画像の少なくとも一部を置換した画像を複写させることが可能な画像、つまり、複写元の画像を印刷することができ、当該複写元の画像を、その一部を置換した画像として複写することができる。
【０１１０】
なお、変形例７においては、印刷データ生成部３３、読取画像記憶部４２及び読取画像処理部４３の全てがＰＣ１０２側に設けられている必要はなく、これらが複合機１０１とＰＣ１０２とにわかれて設けられていてもよい。
【符号の説明】
【０１１１】
１  複合機
２０  印刷制御部
２２  読取制御部
１００  複写システム
１０１  複合機
１０２  ＰＣ
【図１】
2011182102.tif 000003
【図２】
2011182102.tif 000004
【図３】
2011182102.tif 000005
【図４】
2011182102.tif 000006
【図５】
2011182102.tif 000007
【図６】
2011182102.tif 000008
【図７】
2011182102.tif 000009
【図８】
2011182102.tif 000010
【図９】
2011182102.tif 000011
【図１０】
2011182102.tif 000012
【図１１】
2011182102.tif 000013
【図１２】
2011182102.tif 000014
【図１３】
2011182102.tif 000015
【図１４】
2011182102.tif 000016
【図１５】
2011182102.tif 000017
【図１６】
2011182102.tif 000018
【図１７】
2011182102.tif 000019
【図１８】
2011182102.tif 000020